(57)【特許請求の範囲】
【請求項１】
工場内においてあらかじめ製作した、タイヤ使用の自動誘導型都市交通機関の乗物の軌道を形成するために順次連続的に設置する軌道用ユニット（１）であって、前記軌道用ユニット（１）は
都市交通機関の乗物のタイヤのための軌道になる上面（５）がほぼ平坦である２つの側方縦まくら木（４）、前記２つの側方縦まくら木（４）の間に位置する中間縦まくら木（２３）、および、前記中間縦まくら木（２３）を介して前記側方縦まくら木（４）をほぼ平行に維持しながら連結している連結用横まくら木（８）を含み、前記側方縦まくら木（４）の下面（６）と前記連結用横まくら木（８）の下面（３９）は、地面に対する支承用面であるコンクリート製の単一ブロック状の担持用構造体（２）、
都市交通機関の乗物の誘導を可能にするために、前記中間縦まくら木（２３）の補完的形状の溝（２５）内に嵌合してある誘導用レール（３）、及び、
前記軌道用ユニット（１）の中間縦枕木（２３）と前記軌道用ユニットに隣接する軌道用ユニット（１）の中間縦枕木（２３）の間の連続性を確立するために、前記中間縦枕木（２３）の末端で、前記誘導用レール（３）の周囲に設置される連結用中間部材（２８）、
を含む、軌道用ユニット（１）。
【請求項２】
前記軌道用ユニット（１）が、ほぼ直線状、曲線状または全体の形状が梯形であることを特徴とする、請求項１に記載の軌道用ユニット（１）。
【請求項３】
担持用構造体（２）が全体的または部分的に鉄筋コンクリート製であることを特徴とする、請求項１または２に記載の軌道用ユニット（１）。
【請求項４】
側方縦まくら木（４）がほぼ長方形の断面を有することを特徴とする、請求項１〜３のいずれか１項に記載の軌道用ユニット（１）。
【請求項５】
側方縦まくら木（４）の上面（５）がほぼ凸型を呈するか、またはスリップ防止用の多数の筋状隆起を含むことを特徴とする、請求項１〜３のいずれか１項に記載の軌道用ユニット（１）。
【請求項６】
前記誘導用レール（３）が前記側方縦まくら木（４）間のほぼ中央に位置することを特徴とする、請求項１〜５のいずれか１項に記載の軌道用ユニット（１）。
【請求項７】
前記誘導用レール（３）が、固定用部材（１８）によって担持用構造体（２）のうちの、各連結用横まくら木（８）の上面に固定されていることを特徴とする、請求項１〜６のいずれか１項に記載の軌道用ユニット（１）。
【請求項８】
各横まくら木（８）の上面で、前記誘導用レール（３）が、前記横まくら木（８）にねじ止めしてある２つの固定用部材（１８）の間に挟まれていることを特徴とする、請求項１〜７のいずれか一項に記載の軌道用ユニット（１）。
【請求項９】
前記誘導用レール（３）が、乗物の誘導用ローラーのための頭部（９）および細長芯（１１）で合わさっている足部１０を有する、全体がＩの字形断面を呈することを特徴とする、請求項１〜８のいずれか１項に記載の軌道用ユニット（１）。
【請求項１０】
前記誘導用レール（３）は前記軌道の形状に合わせて曲げることができ、前記誘導用レール（３）の頭部（９）と足部（１０）がほぼ対称的であることを特徴とする、請求項１〜９のいずれか一項に記載の軌道用ユニット（１）。
【請求項１１】
前記誘導用レール（３）の下部が、コーテイング（１４）を形成する被覆材（１３）で被覆してあり、前記被覆材（１３）が上方に延長して少なくとも１つの側方延長部（１５）となり、前記側方延長部（１５）と前記誘導用レール（３）の頭部（９）との間で側方狭小部（１６）が画定されていることを特徴とする、請求項１〜１０のいずれか１項に記載の軌道用ユニット（１）。
【請求項１２】
前記誘導用レール（３）の端部と前記側方縦まくら木（４）の端部が長手方向での位置がずれていることを特徴とする、請求項１〜１１のいずれか１項に記載の軌道用ユニット（１）。
【請求項１３】
前記誘導用レール（３）は、前記担持用構造体（２）を設置した後で設置できることを特徴とする、請求項１〜１２のいずれか１項に記載の軌道用ユニット（１）。
【請求項１４】
前記軌道用ユニット（１）は、車道上または既存の整備された地面上に直接設置することが可能であり、または、下準備し、底部（３４）を締め固めしただけの基礎用溝（３２）内に埋設することも可能であることを特徴とする、請求項１〜１３のいずれか１項に記載の軌道用ユニット（１）。
【請求項１５】
２つの前記側方縦まくら木（４）の間に含まれている空間を、適切な埋立て用材料（３７）で埋立て、板状の装飾的または機能本位の被覆材（３８）で表面を仕上げることを特徴とする、請求項１〜１４のいずれか１項に記載の軌道用ユニット（１）。
【請求項１６】
前記軌道用ユニット（１）が更に、都市交通機関の乗物のための電力補給用レールを含むことを特徴とする、請求項１〜１５のいずれか１項に記載の軌道用ユニット（１）。
【請求項１７】
前記軌道用ユニット（１）の横断面が、中央部が高く左右が低い形状を持つことを特徴とする、請求項１〜１６のいずれか１項に記載の軌道用ユニット（１）。
【請求項１８】
請求項１〜１７のいずれか１項に記載の前記軌道用ユニット（１）を連続して設置することによって形成されることを特徴とする、タイヤ使用の自動誘導型都市交通機関の乗物のための軌道。
【発明の詳細な説明】
【技術分野】
【０００１】
本発明は、タイヤで移動する自動誘導都市交通機関の乗物の軌道用プレハブユニットおよび同種の一連の複数のプレハブユニットで形成する軌道に関する。
【背景技術】
【０００２】
余りにも多い自動車の通行で詰まっている都心の渋滞を緩和すべく、現在の都市政策は、公共交通機関を普及させる傾向にある。大都会は、電車やトロリーバスや地下鉄型の乗り物をますます備えるようにしている。
【０００３】
その中でも、中小都市にとって、タイヤ使用の自動誘導電車が特に有利である。事実、少なくとも所によって、普通の乗り物と車道を共同使用することができる。タイヤ使用の自動誘導電車は、インフラの作業を少しだけ必要としており、比較的狭い道路でも通行できる。更にバスよりもずっと多い容積があり、速度が速く、専用路を通行するとき、都市の交通渋滞にわずらわされない。
【０００４】
しかしながら、タイヤ使用の自動誘導電車は、例えば道路の中央部における軌道と誘導用レールを含む、特別に整備された軌道上を走行しなければならない。したがって、都心でのその設置には幾つかの作業を必要とする。
【０００５】
それを実施するには、溝を十分に掘り、現存管路を移動させて土地を整備し、路床のコンクリートを流し込み、軌道の各構成要素のための見取り図を作成し、各種要素を設置してその連結を行い、動力と信号機に必要な電気接続を行い、軌道の要素に隣接する区域の埋め戻しと整備を行い、工事による破損箇所を補修し、交差点と信号機の整備等をする期間中、１または複数の道路をかなりの期間封鎖しなければならない。
【０００６】
住民と商店にとって、そして、工事で通行止めになる道路を利用しようとする人たちにとっても長期間、大きな迷惑になるこのすべての作業は、もちろん、通行、駐車、商店への出入りと買い物、騒音、ほこり等の問題を生じる。      
【０００７】
したがって、軌道の設置のこのすべての工事で生ずる迷惑をなるべく短期間で済むようにすることが関心事になる。
【発明の概要】
【発明が解決しようとする課題】
【０００８】
したがって、本発明の目的は、設置が単純化され、必要な工事がずっと短期間で済む軌道を提供することにある。
【課題を解決するための手段】
【０００９】
この技術上の問題点を解決するために、本発明による軌道は、順次連続的に地面に置いて、隣接ユニットと現場で連結するために、工場で製作し、組み立てた、それぞれが完全な短幹になるプレハブユニットの形を呈する。
【００１０】
このことから、土地を整備した後で、ユニットを順次連続的に連結し、埋め戻し、補修および整備をするだけで済む。とりわけコンクリートの凝固で生ずる待ち時間のような待機段階など、多数の段階が都市空間ではなく、工場で行われるので、工事場における作業期間が著しく短縮され、発生する迷惑も大幅に減少する。
【００１１】
本発明による軌道のユニットは、若干厚さが増すが、既存車道上に直接置くか、または通行路が車道と同一平面になるように、基礎工事を必要とすることなく、単に土地を整備し、締め固めするだけで設置することができて、工事期間を更に著しく減少させることができる。
【００１２】
更に、軌道のプレハブユニットを工場内で製作するので、複製できる、良質の製品を保証でき、現場で製作する通常の軌道のような気候・天候条件の変動と土地から生ずる技術上の困難に遭遇することがない。
【００１３】
他方では、軌道のその後の保守も、同様に著しく簡単になる。必要の場合,破損したユニットは、単に撤去し、以前の技術で連続的に製作してある軌道全体に関わる問題に遭遇することなく、新しいユニットと置き換えることができる。
【００１４】
この目的を達成すべく、本発明は、タイヤ使用の自動誘導型都市交通機関のための軌道を形成するために、順次連続的設置用軌道ユニットを供給する。
【００１５】
本発明に応じて、同ユニットは、工場内であらかじめ製作してあり、それぞれ下記のものを含む。すなわち、
−  上面がほぼ平坦で、都市交通機関の乗物のタイヤのための軌道になる、２の側方縦まくら木を含むコンクリート製単一ブロック状担持用構造体、ならびに側方縦まくら木を連結し、ほぼ平行に維持する連結用横まくら木。側方縦まくら木の下面と連結用横まくら木の下面は、地面における支承用面になる。
−  都市交通機関の乗物の誘導を可能にする、ほぼ中央位置にあることが好ましい担持用構造体に乗っている誘導用レールの短幹。
【００１６】
担持用構造体は、より頑丈になるように、全体または部分的に鉄筋コンクリート製にすると有利である。
【００１７】
本発明のプレハブユニットは、直線状要素の形状および任意の設計の軌道を製作することを可能にする湾曲要素の形状を呈している。    
【００１８】
設計の湾曲部分は、ほぼ梯形の形状をした、より小型の梯形要素を基にして製作することもでき、同要素を連続的に設置することによって、後部車輪の方向転換の要求を満たす、「多面からなる」と言われている、部分からなるカーブを製作できる。
【００１９】
本発明の第１の実施態様によれば、誘導用レールの短幹は、各横まくら木のレベルで、適切な固定用部材を使用して、担持用構造体に固定できる。レールの短幹を関連する横まくら木にねじ止めした２の同固定用部材間に挟み込むことによって固定を実施することが好ましい。      
【００２０】
本発明の第２の実施態様によれば、コンクリート製単一ブロック状担持用構造体は、誘導用レールの短幹が上に乗っている補足的中間縦まくら木を含むことができ、同縦まくら木は、２の側方縦まくら木間に位置し、同側方縦まくら木の真ん中に位置するのが好ましい。
【００２１】
この場合、誘導用レールの短幹は、適切な固定用部材を使用して、中間縦まくら木に固定できる。
【００２２】
代替法として、中間縦まくら木に配設した補足的形状の溝内に嵌合することもできる。
【００２３】
本発明の好ましい変形態様によれば、誘導用レールは、一般的に骨状またはＩ字状の形状の断面を呈する。その両端、すなわち乗物の誘導用ローラーのための回転用トラックになる頭部および足部は、対称的であり、好ましいことに、Ｉ字状の軸になる、巾が狭く、長い芯部で連結されている。
【００２４】
この好ましいレールは、下部支承用の大きいシューを含んでおらず、大きい側方慣性が無い。したがって、同レールは、比較的柔軟で、真っ直ぐな短幹に製造してから、湾曲ユニットの製造時に、別個の補足的湾曲段階無く、設置時に容易に湾曲できる。
【００２５】
誘導用レールの短幹の下部は、部分的または完全なコーテイングになる被覆材で被覆することが好ましく、同被覆材の少なくとも１の側方延長部は、同被覆材とレールの頭部とで誘導用側方狭小部を画定する。
【００２６】
利用する被覆材の材質は、ローラーの通行時に、誘導用側方狭小部内に物体があるとすれば、同物体の排除、押し込みまたは沈積が有利に行われるように圧縮性を有する。
【発明の効果】
【００２７】
ユニット間の連結は、きわめて限定的で、特にボルト締めまたは溶接で、誘導用レールの相次ぐ短幹の連結だけからなることができ、縦まくら木を単に順次合わせて置くだけである。
【００２８】
誘導用レールも、担持用構造体の設置後に置くことができるので、誘導用レールのレベルで完全な曲線状に、およびより制約の少ない軌道になる縦まくら木のレベルでほぼ類似する曲線状に製作することができる。
【００２９】
興味深い１の変形態様によれば、誘導用レールの短幹の端部および側方縦まくら木の端部は、長手方向で長さが少し違っているようにすることが可能である。したがって、誘導用レールの相次ぐ２の短幹間の接続は、端部ではなく、例えば縦まくら木の中央で行われ、このとき、誘導用レールは、ユニット間の結合材として有利に機能する。
【００３０】
誘導用レールの短幹も、特に曲線状のレベルで、担持用構造体よりも長い形に準備できるので、同じく縦まくら木間の結合材として役立つことができる。
【図面の簡単な説明】
【００３１】
本発明のその他の特性と利点は、添付図に照らして引き続き行う詳細な記述を読むことによって明らかになるだろう。その中で、
【図１】本発明の第１の変形態様による軌道用プレハブユニットの上面図である。
【図２】本発明の第１の変形態様による軌道用プレハブユニットの前部の斜視図で                                                ある。
【図３】図２の円で囲んだ部分の拡大詳細斜視図である。レールのコーテイングは図示されていない。
【図４】本発明の第１の変形態様による軌道用プレハブユニットの後面図である。
【図５】本発明の第１の変形態様による軌道用プレハブユニットの横まくら木上の誘導用レールの固定法を示す細部の拡大斜視図である。
【図６】本発明の第２の変形態様による軌道用プレハブユニットの前部の斜視図である。
【図７】本発明の第２の変形態様による２の軌道用プレハブユニットの相次ぐ連続的設置と組み立ての各種段階を示す斜視図である。
【図８】本発明の第２の変形態様による２の軌道用プレハブユニットの相次ぐ連続的設置と組み立ての各種段階を示す斜視図である。
【図９】本発明の第２の変形態様による２の軌道用プレハブユニットの相次ぐ連続的設置と組み立ての各種段階を示す斜視図である。
【図１０】本発明の第２の変形態様による２の軌道用プレハブユニットの相次ぐ連続的設置と組み立ての各種段階を示す斜視図である。
【図１１】基礎用溝の底部に置いた、本発明の第２の変形態様による２の軌道用プレハブの２の平行なユニットを示す横断面図である。
【図１２】中間空白部を適切な埋立て材で埋立てて、表面を装飾用被覆材で補完した、図１１の類似図である。
【発明を実施するための形態】
【実施例】
【００３２】
本発明による軌道用プレハブユニットの主要な２の様式を図１から図１２までに照らしてこれから詳細に記述することにする。ただし、それは、例として提示した本発明による好ましい変形態様であって、その範囲を限定するためでなく、同範囲は、添付した特許請求に明示してある。諸図に示した、対応する要素には同じ照会番号をつけておいた。
【００３３】
本発明による軌道用プレハブユニットを諸添付図に示した。複数の同ユニット１を順次組み立てることによって、タイヤ使用の自動誘導都市交通機関の乗物のための軌道を製作できる。    
【００３４】
同軌道用ユニットは、都市交通機関の乗物の誘導を可能にする誘導用レール３の短幹が上に固定してある単一ブロック状担持用構造体２を含んでいる。
【００３５】
担持用構造体２は、工場で単一部材として製造してある構造体である。同部材は、補強された、すなわちくず鉄または金属か金属以外のなんらかの適切な骨組みで補強しておくことが好ましいコンクリート製である。担持用構造体２の全体または特に必要な特定の箇所だけを強化して、したがって、もっと抵抗力があるようにすることができる。
【００３６】
担持用構造体２は、ほぼ平行な形で構造体の両側に伸びている２の側方縦まくら木４を含んでいる。それは、都市交通機関の乗物の車輪の軌道になるためのほぼ平坦な上面５および同じくほぼ平坦であることが好ましい支承用下面６を有するコンクリート製の２の板である。
【００３７】
側方縦まくら木４は、都市交通機関の乗物の通行に適する、耐久性のある担持路を提供するように設計してある。したがって、側方縦まくら木４の上面５は、困難な気象条件の場合、軌道上の乗物のタイヤのスリップ防止を向上させ、例えば、図示していないが、スリップ防止用の多数の筋状隆起があるように製作できる。
【００３８】
側方縦まくら木４の上面５はまた、雨水の流出を容易にするために、軽く丸みを帯びているように設計できる。
【００３９】
側方縦まくら木４の下面は、地面への担持用構造体２の支承用面である。係留用構造体もまた、地面への担持用構造体２の係留を向上させるために、縦まくら木の下面６に設けることができる。
【００４０】
側方縦まくら木４は、好ましいことに、ほぼ長方形の断面を有する。ユニットが地面に継ぎ足した状態に配置されるとき、同断面は、担持用構造体２の座りの安定性を高め、または側面７のレベルで、次第に傾斜しているように、例えば梯形であることもできる。
【００４１】
担持用構造体２は、側方縦まくら木４をほぼ平行に保持しながら連結する、一連の連結用横まくら木も含んでいる。
【００４２】
有利なことに、同連結用横まくら木８は、図４と図１１に見られるように、地面に対する担持用構造体２のための支承面にも役立っている。
【００４３】
したがって、コンクリート製の単一ブロック状担持用構造体２の集合体は、担持用、すなわち地面に支承されている。都市交通機関の乗物の通行時の加重は、側方縦まくら木４および一連の連結用横まくら木８に分散されるので、有利なことに圧力か減少して、地面内への沈下が避けられる。
【００４４】
この独特な着想で、担持用構造体２は、限られた掘削作業で、地表に対して同一高さになるように設置でき、有利なことに、担持用構造体２全体に分散されている加重に耐えられる充分な硬直性がありながら、単に締め固めた地面で充分に弾力性があって、通常の路上乗物が通過するのに十分に精密に製作できる。
【００４５】
横まくら木８は、例えばほぼ長方形の断面を有し、間隔が平均的で、例えば１メートルであることが好ましい。
【００４６】
図１から図５に示した本発明による軌道用ユニット１の第１の実施態様では、同横まくら木８は、２の側方縦まくら木４を直接連結し、好ましいことに、同横まくら木８がその中央部で、都市交通機関の乗物の誘導を可能にする誘導用レール３の短幹を担持する。
【００４７】
図示した誘導用レール３は、普通の形状がＩ字形の断面を呈しており、その両端である頭部９と足部１０が対称的であることが好ましく、Ｉ字形の軸になる細長芯部１１で連結されている。
【００４８】
レールの頭部９は、乗物の誘導用ローラー、例えば、タイヤ使用の電車の車両列の頭部車両の誘導用アームのＶ字形に傾斜している２の誘導用ローラーのための回転用トラックになる１または複数の適切な側面１２の形態を有する。
【００４９】
図示のレール３は十分に高く、下部には大きな支承用シューを含んでいない。したがって、比較的柔軟で、設計の曲線状に容易に適応できる。有利なことに、真っ直ぐな短幹だけに製造して、必要があれば、湾曲ユニットのレベルで、予定されている設計図にしたがって、設置時に曲げることができる。
【００５０】
誘導用レール３の形状は、湾曲部に設置するとき、レールの横倒れまたは捻れを避けるために、同レールの中央長手方向面に対して、左右相称であることが好ましい。      
【００５１】
しかしながら、誘導用レール３の形態は、レールが果たすべき誘導機能に適していれば、図示とは異なる形態を有することができる。
【００５２】
有利なことに、誘導用レール３の短幹は、同短幹の中央下部のレベル、すなわち足部１０と芯部１１のレベルで、図示した変形態様通りに、被覆材１３の塊で被覆できる。
【００５３】
同被覆材１３は、レールの周囲に沿うコーテイング１４になるが、誘導用レール３の機能区域に干渉することなく、また、レールの側面１２へのアクセスを妨げる
ことがないように、同レールの上部、特に頭部９をそのままに残しておく。
【００５４】
コーテイング１４は、被覆材８の側方延長部１５で、上方が好ましい方向に伸びていることが好ましく、同側方延長部１５に、誘導用ローラーの動的かみ合わせを妨げないように側方狭小部１６を設けておく。
【００５５】
レール３の典型とその応用によれば、このような側方延長部１５は、レール３の両側に用意できる。
【００５６】
被覆材１３は、誘導用ローラーの通行時に、誘導用側方狭小部内にあったりする物の排除、押し込みまたは沈積ができるように、充分な弾力性を有するなんらかの適切な合成物質である。同被覆材１３は、利用条件および外方の気象条件に耐えることができ、有利なことに、電気的に絶縁性を有することができる。
【００５７】
同コーテイング１４は、レールのっ製造時またはその後に、レール３の周囲に、例えば被覆材１３を押出し成型で形成し、または付け加えることが好ましい。
【００５８】
コーテイング１４は、特にその側方延長部１５のレベルで、金属製または金属製でない、内部骨格で補強できる。
【００５９】
同骨格は、留め金１７、とりわけ図３に示したように、有利なことに、例えばコンクリート用鉄の形を呈することができる。好ましい同留め金１７を用いて、平均的間隔であることが好ましい、レールに対するコーテイングの挟み込みを行うことによって、誘導用レール３の短幹の保持を更に高めることができる。
【００６０】
コーテイング１４で被覆された誘導用レール３の短幹は、次に、担持用構造体２上に設置される。
【００６１】
そのために、本発明による軌道用ユニット１の第１変形態様は、誘導用レール３の短幹を各連結用横まくら木８に固定するための固定用部材１８を含んでいる。
【００６２】
固定用部材１８は、図に示したように、例えば、連結用横まくら木８上に乗るためのほぼ平坦な基部の壁面１９および被覆材１３でコーテイングされたことが好ましい、誘導用レール３の短幹にぴったり付けるための支承用側方壁面２０を含む、ほぼ楔状の部材である。
【００６３】
したがって、支承用側方壁面２０は、コーテイングしてあることが好ましい誘導用レール３の側方形状に適する補完的形態を呈する。
【００６４】
固定用部材１８は、基部の壁面１９を支承用側方壁面２０に連結して、３面角式に固定用部材１８の片側を閉鎖する硬化用側壁２１で補完することが好ましい。
【００６５】
２の同固定用部材１８は、誘導用レール３のレールの短幹を同２の部材の間に挟み込んで側方を保持するように、同誘導用レール３の短幹に各々１つづつ、各横まくら木８のレベルに用意する。
【００６６】
誘導用レール３の短幹の両側がほぼ対称的であるので、レールの両側に使用する固定用部材１８は、一方が他方に対して、単に裏返しにするだけであるので、有利なことに、同一形であることができる。
【００６７】
誘導８用レール３の短幹のしっかりした固定は、例えば固定用部材１８の基部の壁面１９を貫通する１または複数の固定用ボルト２２で、各固定用部材１８を、対応する横まくら木８にねじ止めすることで確立される。
【００６８】
図６から図１２までに示した、本発明による第２の実施態様では、担持用構造体２は、２の側方縦まくら木４間に位置する、補完的中間縦まくら木２３を更に含んでいる。同中間縦まくら木２３は、好ましいことに、２の側方縦まくら木４のほぼ中間に伸びている。
【００６９】
この場合、横まくら木８は、２の縦まくら木４を直接相互に連結しない。各横まくら木８は、２の横梁２４からなり、それぞれが側方縦まくら木４を中間縦まくら木２３に連結する。
【００７０】
この実施態様では、誘導用レール３の短幹は、中間縦まくら木２３に乗っている。そのために、誘導用レール３の短幹は、例えば、中間縦まくら木２３に固定されるか、または同中間縦まくら木２３内に配設してある補完的形状の溝２５内に嵌合される。
【００７１】
溝２５は、中間縦まくら木２３の上面のレベルに、長手方向に開口しており、誘導用レール３の頭部９が、都市交通機関の乗物の誘導が満足にできる、担持用構造体２の上面のレベルでほぼ同一面になる適切な深さにする。
【００７２】
本発明による軌道用プレハブユニット１は、約１０ないし１２メートルが好ましいいろいろな長さの直線状、場合によって曲線状の短幹の形状を有する。
【００７３】
同プレハブユニット１は、タイヤ使用の自動誘導都市交通機関の乗物の軌道を本発明にしたがって作成するために、直接または適切な中間材を利用して相互に連結される。
【００７４】
連続する２のユニットのコンクリート製縦まくら木は、図６から図１０までに示した、同ユニットに設けた、例えば、ボルト締めの連結用板２６で、または連結用中間部材２８を相次ぐ２の縦まくら木間に取り付けることを可能にする、中間縦まくら木２３の端部に設置した横溝２７で、特に自動的に連結できる。
【００７５】
図示されていない別の変形態様によれば、相次ぐ２のユニットの縦まくら木は、相互に連結することなく、延長する形で、単に連続的に置くだけで、２のユニット間の接続は、誘導用レール３だけに行うことができる。
【００７６】
しかしながら、相次ぐユニット間の連結は、長期的には、このレベルで地面を掘削するのを避ける上で好ましく、このような掘削は、ユニットの移動に至ることがあり得るからである。この理由により、掘削の関係で、機械的結合を縦まくら木間に設けることが好ましい。
【００７７】
端部では、誘導用レールの短幹は、次の誘導用レールの短幹との連結材を含むことが好ましい。
【００７８】
図示の諸例では、誘導用レール３の短幹の２の端部２９は、誘導用レールの隣接短幹との連結が容易になるように、自由なまま、すなわちコーテイング１４無しになっている。両端部は、誘導用レール３を担持する中間縦まくら木２３の対応する端部を超えて、片持ち梁状に伸びており、中間縦まくら木２３の端部は、側方縦まくら木４の端部に比して、少し短い。
【００７９】
レール３の自由な端部２９は、隣接している短幹の自由端部２９のレベルで、同じ型のボルト締めで、次のレール３の短幹との結合を確立する、誘導用レールの芯部１１の両側に配設してある２の連結用差込具３０のボルト締めができるように穿孔してある。
【００８０】
考慮できる別の変形態様によれば、誘導用レール３の相次ぐ短幹の連結は、例えば溶接で実施できる。
【００８１】
図７から図１０までは、本発明による第２の実施態様に基づく、２の軌道用プレハブユニット１間の連結の主要段階を示している。
【００８２】
第１の軌道用プレハブユニット１は、まず、図７に示したように、その設置場所に置いてある。
【００８３】
図８に見られるように、第１のユニットと同一または異なるユニットであるが、第１のユニットと親和する第２のユニットに続けて連続的に設置してある。両ユニットは、相互に正確に一直線状に並べてある。
【００８４】
軌道の連続性を確立するために、次に両ユニットは、相互に組み合わされる。図９に示した例では、同組み立ては、各側方縦まくら木４の端部の連結用板２６の２つずつのボルト締めによる。各長手方向軸４の端部の連結用板２６の後ろに準備してある、ボルト締め用溝状くり抜き部３１で、同ボルト締めを実施できる。
【００８５】
誘導用レール３の２の短幹の端部も、前述の如く、２の連結用差込具３０で、相互に連結される。
【００８６】
図１０は、相次ぐ２のユニットの中間縦まくら木２３間の連続性を確立するために、２の短幹間のレベルで、連結用中間部材２８が誘導用レール３の周囲に組み立ててある、レールの仕上がり段階を示している。同連結用中間部材２８は、連結用中間縦まくら木２３の端部に設けた横溝２７を使って固定される。
【００８７】
工場内で製造されるプレハブユニット１は、有利なことに、トラックでその据付場所に運搬でき、適切な巻上げ機で積み下ろされて、据付られることができる。
【００８８】
軌道用プレハブユニット１は基礎用溝３２内に固定されるか、例えば車道のような既存の完成地面上に嵩上げ状に置くことができる。
【００８９】
図１１と図１２の例のように、本発明による軌道が基礎用溝３２内に設置されるとき、従来の技術のようにコンクリートの基礎工事または基盤上に置かれる必要がない。都市配管類３３を避けた後、土の締め固めによる基礎用溝３２の底部３４の簡単な準備で十分である。側方縦まくら木４が乗物の重量および走行に関連する応力を支えるからである。
【００９０】
この実施態様の例によれば、基礎用溝３２の下部は、適切な暗渠用埋立て材３５、例えば未処理砂利で、適切な高さまで充填してある。それを平坦で安定した固定用平面になる砂の層３６で被覆し、その上に軌道用プレハブユニット１を乗せる。
【００９１】
軌道用ユニットを連結した後、担持用構造体を十分に固定するのに適した埋立て用材料３７で、一定の高さまで埋立てる。２の側方縦まくら木４の間に含まれている空間も、同埋立て用材料３７で充填する。
【００９２】
基礎用溝の深さおよび縦まくら木４の高さは、軌道になる縦まくら木４の上面５および誘導用レール３の頭部９が地面のレベルで、ほぼ同一高さになるように選定すると有利である。
【００９３】
その全体は、表面を装飾性被覆材３８または技術的な覆い、あるいは芝生などで補うことができる。この被覆材３８は、例えば板状の敷石、石畳、タイルまたは芝生の形を呈するものが好ましく、同じく砂の層３６に置かれるのが好ましい。
【００９４】
本発明は、もちろん、図示し、上記に述べた好ましい実施態様に限定されているのではなく、当業者が容易に着想できる、本発明と同じ発想に属する数多くの変形態様と改定も等しく含むものとする。
【００９５】
したがって、例えば、包括的に軌道用ユニット１を平面的かつ水平状に描写し、図示した。横断面から見て、ユニットが「山形」に傾斜しているように製作することを考慮すれば、雨水の排水がもっと容易になって、水溜りの形成が抑制される。
【００９６】
考えやすい別の変形態様として、誘導用レールの他に、例えば側方に、都市交通機関の乗物のための電気供給用レールを含む軌道用プレハブユニットを製作できるだろう。
【符号の説明】
【００９７】
１．軌道用ユニット
２．担持用構造体
３．誘導用レール
４．側方縦まくら木
５．平坦な上面
６．支承用下面
７．側面
８．横まくら木
９．レールの頭部
１０．レールの足部
１１．レールの芯部
１２．レールの側面
１３．被覆材
１４．コーテイング
１５．側方延長部
１６．側方狭小部
１７．留め金
１８．固定用部材
１９．基部の壁面
２０．支承用壁面
２１．硬化用側壁
２２．固定用ボルト
２３．中間縦まくら木
２４．横梁
２５．溝
２６．連結用板
２７．横溝
２８．連結用中間部材
２９．短幹の端部
３０．連結用差込具
３１．横溝状くり抜き部
３２．基礎用溝
３３．都市配管類
３４．基礎用溝の底部
３５．暗渠用埋立て材
３６．砂の層
３７．埋立て用材料
３８．装飾性被覆材
【図１】
0005488927.tif 000002
【図２】
0005488927.tif 000003
【図３】
0005488927.tif 000004
【図４】
0005488927.tif 000005
【図５】
0005488927.tif 000006
【図６】
0005488927.tif 000007
【図７】
0005488927.tif 000008
【図８】
0005488927.tif 000009
【図９】
0005488927.tif 000010
【図１０】
0005488927.tif 000011
【図１１】
0005488927.tif 000012
【図１２】
0005488927.tif 000013